(57)【要約】【課題】  移動体通信端末が使用するベアラの種類に応じてコンテンツを提供することができるコンテンツ提供方法、移動体通信端末及びコンテンツ提供サーバを提供する。【解決手段】サーバ５０は、移動体通信端末１０から送信されたコンテンツ取得要求を受信し、複数種類のベアラのうち移動体通信端末１０がコンテンツ取得要求の送信の際に用いたベアラの情報を取得する。次に、サーバ５０は、上記コンテンツ取得要求に対し、そのコンテンツ取得要求の送信の際に用いられたベアラの情報に基づいて複数のコンテンツから送信対象のコンテンツを決定し、その送信対象として決定したコンテンツをコンテンツ取得要求の送信の際に用いられたベアラによって移動体通信端末１０に送信する。【選択図】  図９
2006155506.tif 000002
【特許請求の範囲】
【請求項１】
通信ネットワークにおける複数種類のベアラのいずれかによって通信可能な移動体通信端末に、該通信ネットワーク上のコンテンツ提供サーバからコンテンツを送信するコンテンツ提供方法であって、
上記コンテンツ提供サーバが、上記移動体通信端末から送信されたコンテンツ取得要求を受信するステップと、
上記コンテンツ提供サーバが、上記複数種類のベアラのうち上記移動体通信端末が上記コンテンツ取得要求の送信の際に用いたベアラの情報を取得するステップと、
上記コンテンツ提供サーバが、上記コンテンツ取得要求に対し、該コンテンツ取得要求の送信の際に用いられたベアラの情報に基づいて複数のコンテンツから送信対象のコンテンツを決定し、その送信対象として決定したコンテンツを上記コンテンツ取得要求の送信の際に用いられたベアラによって上記移動体通信端末に送信するステップとを含むことを特徴とするコンテンツ提供方法。
【請求項２】
請求項１のコンテンツ提供方法であって、
上記移動体通信端末が、上記コンテンツ取得要求の送信の際に用いるベアラに対応した端末属性情報を取得するための取得先情報を、該コンテンツ取得を要求するコンテンツ取得要求に書き込むステップと、
上記移動体通信端末が、上記端末属性情報の取得先情報が書き込まれたコンテンツ取得要求を、上記通信ネットワーク上のコンテンツ提供サーバに送信するステップとを更に含み、
上記コンテンツ提供サーバが上記コンテンツ取得要求の送信の際に用いられたベアラの情報を取得するステップは、該コンテンツ提供サーバが、上記コンテンツ取得要求に書き込まれている上記端末属性情報の取得先情報を読み出し、該端末属性情報の取得先情報に基づいて端末属性情報提供サーバから該端末属性情報を取得し、該端末属性情報に含まれる該ベアラの情報を読み出すことにより、該ベアラの情報を取得することを特徴とするコンテンツ提供方法。
【請求項３】
請求項１のコンテンツ提供方法であって、
上記移動体通信端末が、上記コンテンツ取得要求の送信の際に用いるベアラの情報を上記コンテンツ取得要求に書き込むステップと、
上記移動体通信端末が、上記コンテンツ取得要求の送信の際に用いるベアラの情報が書き込まれた上記コンテンツ取得要求を、上記コンテンツ提供サーバに送信するステップとを更に含み、
上記コンテンツ提供サーバが上記コンテンツ取得要求の送信の際に用いられたベアラの情報を取得するステップは、該コンテンツ提供サーバが、該ベアラの情報を上記コンテンツ取得要求から読み出すことにより、該ベアラの情報を取得することを特徴とするコンテンツ提供方法。
【請求項４】
通信ネットワークにおける複数種類のベアラのいずれかによって通信可能な移動体通信端末に、所定の通信プロトコルを用いた通信によりコンテンツを送信するコンテンツ提供サーバであって、
提供対象のコンテンツを記憶するコンテンツ記憶手段と、
上記移動体通信端末から送信されたコンテンツ取得要求を受信するコンテンツ取得要求受信手段と、
上記複数種類のベアラのうち上記移動体通信端末が上記コンテンツ取得要求の送信の際に用いたベアラの情報を取得するベアラ情報取得手段と、
上記コンテンツ記憶手段から読み出したコンテンツを上記移動体通信端末に送信する送信手段と、
上記コンテンツ取得要求に対し、上記コンテンツ取得要求の送信の際に用いられたベアラの情報に基づいて複数のコンテンツから送信対象のコンテンツを決定し、その送信対象として決定したコンテンツを該ベアラによって上記移動体通信端末に送信するようにコンテンツ送信を制御する制御手段とを備えたことを特徴とするコンテンツ提供サーバ。
【請求項５】
請求項４のコンテンツ提供サーバであって、
上記ベアラ情報取得手段は、
上記コンテンツ取得要求の送信の際に用いられたベアラに対応した端末属性情報を取得するための取得先情報を上記コンテンツ取得要求から読み出す取得先情報読み出し手段と、
上記取得先情報に基づいて端末属性情報提供サーバから上記端末属性情報を取得する端末属性情報取得手段と、
上記端末属性情報に含まれる上記コンテンツ取得要求の送信の際に用いられたベアラの情報を読み出すベアラ情報読み出し手段とを用いて構成したことを特徴とするコンテンツ提供サーバ。
【請求項６】
請求項４のコンテンツ提供サーバであって、
上記ベアラ情報取得手段は、上記コンテンツ取得要求の送信の際に用いられたベアラの情報を上記コンテンツ取得要求から読み出すベアラ情報読み出し手段を用いて構成したことを特徴とするコンテンツ提供サーバ。
【請求項７】
通信ネットワークにおける通信伝送能力が互いに異なる複数種類のベアラのいずれかによって通信可能な移動体通信端末であって、
上記通信ネットワークにおける複数種類のベアラのうちコンテンツ取得要求の送信の際に用いるベアラに対応した端末属性情報を取得するための取得先情報をコンテンツ取得要求に書き込む取得先情報書き込み手段と、
上記取得先情報が書き込まれた上記コンテンツ取得要求を、通信ネットワーク上のコンテンツ提供サーバに送信するコンテンツ取得要求送信手段と、
上記コンテンツ取得要求に対し上記コンテンツ取得要求の送信の際に用いたベアラの情報に基づいて上記コンテンツ提供サーバから送信されてきたコンテンツを受信するコンテンツ受信手段とを備えたことを特徴とする移動体通信端末。
【請求項８】
通信ネットワークにおける複数種類のベアラのいずれかによって通信可能な移動体通信端末であって、
上記複数種類のベアラのうちコンテンツ取得要求の送信の際に用いるベアラの情報をコンテンツ取得要求に書き込むベアラ情報書き込み手段と、
上記コンテンツ取得要求の送信の際に用いるベアラの情報が書き込まれた上記コンテンツ取得要求を、通信ネットワーク上のコンテンツ提供サーバに送信するコンテンツ取得要求送信手段と、
上記コンテンツ取得要求に対し上記コンテンツ取得要求の送信の際に用いられたベアラの情報に基づいて上記コンテンツ提供サーバから送信されてきたコンテンツを受信するコンテンツ受信手段とを備えたことを特徴とする移動体通信端末。
【発明の詳細な説明】
【技術分野】
【０００１】
本発明は、携帯電話通信網等の通信ネットワークにおけるコンテンツ提供方法、並びにそのコンテンツ提供方法で使用可能なコンテンツ提供サーバ及び携帯電話機等の移動体通信端末に関する。
【背景技術】
【０００２】
従来、この種の携帯電話機などの移動体通信端末が通信に使用する通信ネットワークとして複数種類のベアラが混在したものが知られている。ここで、通信伝送能力、通信品質、符号化方式、通信速度等の組み合わせで特定される情報運搬方式を意味する。携帯電話機用の通信ネットワークである携帯電話通信網のベアラとしては、利用者が使用する移動体通信端末の種類や通信サービスの種類に応じて、ＳＭＳ（Short Message Service）用ベアラ、ＧＰＲＳ（General Packet Radio Service）用ベアラ、Ｗ−ＣＤＭＡ（Wideband Code Division Multiple Access）用ベアラ等が設けられている。
一方、上記通信ネットワークを介した通信を用いた通信サービスとして、移動体通信端末で通信アプリケーションとしてのブラウザソフトを起動し、所定の通信プロトコルを使って通信ネットワーク上のコンテンツ提供サーバにアクセスできるものが知られている（例えば特許文献１参照）。この移動体通信端末では、上記複数種類のベアラのいずれかによって、コンテンツ提供サーバにコンテンツ取得要求を送信し、そのコンテンツ提供サーバからＷＥＢページ、音楽、画像等のコンテンツをダウンロードすることができる。
【特許文献１】特開２００４−８６４５７号公報
【発明の開示】
【発明が解決しようとする課題】
【０００３】
ところが、上記コンテンツ提供サーバは、複数の移動体通信端末から様々なベアラによってコンテンツ取得要求を受信する。そして、コンテンツ提供サーバは、移動体通信端末がコンテンツ取得要求を送信してきたベアラが異なる場合でも、同じサイズのコンテンツを移動体通信端末に送信する。そのため、ダウンロード対象のコンテンツの種類によってはベアラの通信伝送能力に合致せず、コンテンツのダウンロードに時間がかかりすぎてしまう等の問題点があった。
【０００４】
本発明の目的は、移動体通信端末が使用するベアラの種類に応じてコンテンツを提供することができるコンテンツ提供方法、移動体通信端末及びコンテンツ提供サーバを提供することである。
【課題を解決するための手段】
【０００５】
上記目的を達成するために、請求項１の発明は、通信ネットワークにおける複数種類のベアラのいずれかによって通信可能な移動体通信端末に、該通信ネットワーク上のコンテンツ提供サーバからコンテンツを送信するコンテンツ提供方法であって、上記コンテンツ提供サーバが、上記移動体通信端末から送信されたコンテンツ取得要求を受信するステップと、上記コンテンツ提供サーバが、上記複数種類のベアラのうち上記移動体通信端末が上記コンテンツ取得要求の送信の際に用いたベアラの情報を取得するステップと、上記コンテンツ提供サーバが、上記コンテンツ取得要求に対し、該コンテンツ取得要求の送信の際に用いられたベアラの情報に基づいて複数のコンテンツから送信対象のコンテンツを決定し、その送信対象として決定したコンテンツを上記コンテンツ取得要求の送信の際に用いられたベアラによって上記移動体通信端末に送信するステップとを含むことを特徴とするものである。
また、請求項２の発明は、請求項１のコンテンツ提供方法であって、上記移動体通信端末が、上記コンテンツ取得要求の送信の際に用いるベアラに対応した端末属性情報を取得するための取得先情報を、該コンテンツ取得を要求するコンテンツ取得要求に書き込むステップと、上記移動体通信端末が、上記端末属性情報の取得先情報が書き込まれたコンテンツ取得要求を、上記通信ネットワーク上のコンテンツ提供サーバに送信するステップとを更に含み、上記コンテンツ提供サーバが上記コンテンツ取得要求の送信の際に用いられたベアラの情報を取得するステップは、該コンテンツ提供サーバが、上記コンテンツ取得要求に書き込まれている上記端末属性情報の取得先情報を読み出し、該端末属性情報の取得先情報に基づいて端末属性情報提供サーバから該端末属性情報を取得し、該端末属性情報に含まれる該ベアラの情報を読み出すことにより、該ベアラの情報を取得することを特徴とするものである。
また、請求項３の発明は、請求項１のコンテンツ提供方法であって、上記移動体通信端末が、上記コンテンツ取得要求の送信の際に用いるベアラの情報を上記コンテンツ取得要求に書き込むステップと、上記移動体通信端末が、上記コンテンツ取得要求の送信の際に用いるベアラの情報が書き込まれた上記コンテンツ取得要求を、上記コンテンツ提供サーバに送信するステップとを更に含み、上記コンテンツ提供サーバが上記コンテンツ取得要求の送信の際に用いられたベアラの情報を取得するステップは、該コンテンツ提供サーバが、該ベアラの情報を上記コンテンツ取得要求から読み出すことにより、該ベアラの情報を取得することを特徴とするものである。
また、請求項４の発明は、通信ネットワークにおける複数種類のベアラのいずれかによって通信可能な移動体通信端末に、所定の通信プロトコルを用いた通信によりコンテンツを送信するコンテンツ提供サーバであって、提供対象のコンテンツを記憶するコンテンツ記憶手段と、上記移動体通信端末から送信されたコンテンツ取得要求を受信するコンテンツ取得要求受信手段と、上記複数種類のベアラのうち上記移動体通信端末が上記コンテンツ取得要求の送信の際に用いたベアラの情報を取得するベアラ情報取得手段と、上記コンテンツ記憶手段から読み出したコンテンツを上記移動体通信端末に送信する送信手段と、上記コンテンツ取得要求に対し、上記コンテンツ取得要求の送信の際に用いられたベアラの情報に基づいて複数のコンテンツから送信対象のコンテンツを決定し、その送信対象として決定したコンテンツを該ベアラによって上記移動体通信端末に送信するようにコンテンツ送信を制御する制御手段とを備えたことを特徴とするものである。
また、請求項５の発明は、請求項４のコンテンツ提供サーバであって、上記ベアラ情報取得手段は、上記コンテンツ取得要求の送信の際に用いられたベアラに対応した端末属性情報を取得するための取得先情報を上記コンテンツ取得要求から読み出す取得先情報読み出し手段と、上記取得先情報に基づいて端末属性情報提供サーバから上記端末属性情報を取得する端末属性情報取得手段と、上記端末属性情報に含まれる上記コンテンツ取得要求の送信の際に用いられたベアラの情報を読み出すベアラ情報読み出し手段とを用いて構成したことを特徴とするものである。
また、請求項６の発明は、請求項４のコンテンツ提供サーバであって、上記ベアラ情報取得手段は、上記コンテンツ取得要求の送信の際に用いられたベアラの情報を上記コンテンツ取得要求から読み出すベアラ情報読み出し手段を用いて構成したことを特徴とするものである。
また、請求項７の発明は、通信ネットワークにおける通信伝送能力が互いに異なる複数種類のベアラのいずれかによって通信可能な移動体通信端末であって、上記通信ネットワークにおける複数種類のベアラのうちコンテンツ取得要求の送信の際に用いるベアラに対応した端末属性情報を取得するための取得先情報をコンテンツ取得要求に書き込む取得先情報書き込み手段と、上記取得先情報が書き込まれた上記コンテンツ取得要求を、通信ネットワーク上のコンテンツ提供サーバに送信するコンテンツ取得要求送信手段と、上記コンテンツ取得要求に対し上記コンテンツ取得要求の送信の際に用いたベアラの情報に基づいて上記コンテンツ提供サーバから送信されてきたコンテンツを受信するコンテンツ受信手段とを備えたことを特徴とするものである。
また、請求項８の発明は、通信ネットワークにおける複数種類のベアラのいずれかによって通信可能な移動体通信端末であって、上記複数種類のベアラのうちコンテンツ取得要求の送信の際に用いるベアラの情報をコンテンツ取得要求に書き込むベアラ情報書き込み手段と、上記コンテンツ取得要求の送信の際に用いるベアラの情報が書き込まれた上記コンテンツ取得要求を、通信ネットワーク上のコンテンツ提供サーバに送信するコンテンツ取得要求送信手段と、上記コンテンツ取得要求に対し上記コンテンツ取得要求の送信の際に用いられたベアラの情報に基づいて上記コンテンツ提供サーバから送信されてきたコンテンツを受信するコンテンツ受信手段とを備えたことを特徴とするものである。
【０００６】
なお、上記「コンテンツ」としては、ＷＥＢページのデータのほか、画像ファイル、音楽ファイル、プログラムファイル等の各種ファイル、及び画像や音楽などのストリーミングデータが挙げられる。
また、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
また、上記移動体通信端末やサーバにおける制御や情報処理は、その移動体通信端末及びサーバそれぞれに設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【０００７】
また、上記「通信プロトコル」としては、ＨＴＴＰ（HyperText Transfer Protocol）、Ｗ−ＨＴＴＰ（Wireless HyperText Transfer Protocol）、ＷＴＰ(Wireless Transaction Protocol)、ＷＳＰ（Wireless Session Protocol）等を用いることができる。上記通信プロトコルとしてＷ−ＨＴＴＰ等のＨＴＴＰを用いた場合は、上記コンテンツ取得要求としてＨＴＴＰ要求が送受信される。このＨＴＴＰ要求に上記ベアラの情報を書き込む場合は、例えばＨＴＴＰ要求のヘッダーに付加されるユーザ・エージェント・ヘッダー（User Agent Header）・フィールドに、上記ベアラの情報を書き込むことができる。
【発明の効果】
【０００８】
請求項１乃至８の発明によれば、コンテンツ提供サーバが移動体通信端末からコンテンツ取得要求を受信したときに、通信ネットワークにおける複数種類のベアラのうち移動体通信端末がコンテンツ取得要求の送信の際に用いたベアラの情報を取得する。コンテンツ提供サーバは、上記コンテンツ取得要求に対し、上記取得したベアラの情報に基づいて複数のコンテンツから送信対象のコンテンツを決定し、その送信対象として決定したコンテンツを上記情報を取得したベアラによって移動体通信端末に送信する。このように移動体通信端末がコンテンツ取得要求の送信の際に用いたベアラの情報に基づいて決定したコンテンツを移動体通信端末に送信するので、移動体通信端末が使用するベアラの種類に応じてコンテンツを提供することができるという効果がある。
【発明を実施するための最良の形態】
【０００９】
以下、図面を参照して本発明の実施の形態について説明する。
図１は本実施形態に係る通信システム全体の概略構成の一例を示す説明図である。この通信システムは、移動体通信端末としての携帯電話機１０と、通信ネットワークとしての携帯電話通信網２０とを用いて構成されている。携帯電話通信網２０は、基地局２１と、コアネットワーク２２と、ＩＰ（Internet Protocol）ネットワーク２３とを備えている。
なお、図１の携帯電話通信網２０は、ＳＭＳ用ベアラ、ＧＰＲＳ用ベアラ、Ｗ−ＣＤＭＡ用ベアラ等の複数種類のベアラのうち、ＧＰＲＳ用ベアラやＷ−ＣＤＭＡ用ベアラとして利用することができる部分の構成について示している。
【００１０】
上記基地局２１は、管轄対象のセルごとに設けられ、携帯電話通信網２０内の有線回線からのデータを無線インタフェースに合うデータフォーマットに変換し、管轄対象のセル内にある携帯電話機１０に無線周波数で送信する。逆に無線周波数で送信される携帯電話機１０からのデータを受信して有線インタフェースに合うデータフォーマットに変換し、携帯電話通信網２０内の有線回線部分に転送する。
【００１１】
上記コアネットワーク２２は、図示しない位置登録データベース（ＨＬＲ，ＶＬＲ）、加入者データベース、課金システム等を有し、各携帯電話機間の通信等を中継するように通信制御を行う。更に、コアネットワーク２２は、各携帯電話機と、携帯電話通信網２０内の構成要素との間における通信を中継するように通信制御を行う。また、コアネットワーク２２は、各携帯電話機と他の通信ネットワークとの間における通信を中継するように通信制御を行う。
また、上記コアネットワーク２２は、回線交換網のほかパケット交換網を有している。このパケット交換網は、ＳＧＳＮ（Serving GPRS Support Node）２４やＧＧＳＮ（Gateway GPRS Support Node）２５等のノードを有している。ＳＧＳＮ２４は、基地局２１が接続されている図示しない無線ネットワークコントローラとコアネットワーク２２側のパケット交換網との間のゲートウェイ機能と、各携帯電話機１０の位置管理、セキュリティ管理及びアクセス制御を行う機能とを有している。また、ＧＧＳＮ２５は、コアネットワーク２２側のパケット交換網と、ＩＰネットワーク２３との間のゲートウェイ機能を有している。
【００１２】
上記ＩＰネットワーク２３は、プロキシサーバ２６、ゲートウェイサーバ２７、その他図示しないＷＥＢサーバ等を有している。プロキシサーバ２６は、各携帯電話機１０と、ＩＰネットワーク２３内のサーバやインターネット上のサーバとの間の通信を中継する処理を行う。このプロキシサーバ２６は、コアネットワーク２２における通信プロトコルとＩＰネットワーク２３やインターネット３０等の他の通信ネットワークにおける通信プロトコルが異なる場合に、両通信プロトコルを合わせるためのプロトコル変換機能も有している。
なお、このＩＰネットワーク２３の中に、ＷＥＢサーバや、コンテンツをダウンロードするためのダウンロードサーバを設けてもよい。
【００１３】
上記ゲートウェイサーバ２７は、携帯電話通信網２０のＩＰネットワーク２３とインターネット３０との間のゲートウェイ機能とファイヤウォール機能とを有している。
【００１４】
上記携帯電話通信網２０のＩＰネットワーク２３を介して接続されているインターネット３０には、各種コンテンツ提供サーバが接続されている。このコンテンツ提供サーバとしては、ＷＥＢページを提供するＷＥＢサーバ４０や、画像ファイル、音楽ファイル、プログラムファイルなどのコンテンツを主に提供するダウンロードサーバ５０等がある。
【００１５】
また、インターネット３０には、様々な種類の携帯電話機１０の端末属性情報（プロファイル）を提供する端末属性情報サーバとしてのプロファイルリポジトリ６０，６１が接続されている。このプロファイルリポジトリは、携帯電話機のメーカごとに設けたり、携帯電話機の機種や世代ごとに設けたりすることができる。図１中の例では、Ａ社の携帯電話機用のプロファイルリポジトリ６０と、Ｂ社の携帯電話機用のプロファイルリポジトリ６１とが設けられている。
【００１６】
上記プロファイルリポジトリ６０，６１の所定のＵＲＩ（Uniform Resource Identifier）には、各社の様々な種類の携帯電話機１０のＵＡプロファイルが保存されている。携帯電話機１０からコンテンツ取得要求を受信したＷＥＢサーバ４０やダウンロードサーバ５０は、そのコンテンツ取得要求に書き込まれているＵＲＩのプロファイルリポジトリにアクセスし、上記コンテンツ取得要求を送信してきた携帯電話機１０の様々な端末属性情報を取得することができる。
【００１７】
上記端末属性情報（プロファイル）は、携帯電話機１０に関するハードウェア情報、ソフトウェア情報、ネットワーク情報、ブラウザのＵＡ（ユーザー・エージェント）情報等である（以下、この端末属性情報を「ＵＡＰｒｏｆ情報」という）。上記ハードウェア情報は、画面サイズ、カラー表示機能の有無、表示文字種、イメージ表示機能の有無、メーカ名、機種名などの情報である。上記ソフトウェア情報は、ＯＳ、オーディオ／ビデオエンコーダー、ＪＡＶＡ（登録商標）仮想マシンなどの情報である。上記ネットワーク情報は、ネットワークサービス、セキュリティ、サポートするベアラ名、通信中のベアラ名などの情報である。上記ブラウザのＵＡ（User Agent）情報は、ブラウザ名、ＨＴＭＬバージョン、フレーム可否などの情報である。
本実施形態では、上記ＵＡＰｒｏｆ情報のネットワーク情報として含まれる上記ベアラ名が、携帯電話機１０がコンテンツ取得要求を送信する際に用いた通信使用中のベアラの情報として用いられる。
また、上記ＵＡＰｒｏｆ情報は、ＸＭＬ（eXtensible Markup Language）及びＲＤＦ（Resource Description Framework）に準拠したツリー構造のメタデータ表現モデル・シンタックスで記述され、ＸＭＬファイルとして保存されている。このＵＡＰｒｏｆ情報のファイルは、携帯電話機の機種ごとに別々のファイルとして保存される。また、同じ機種の携帯電話機が複数種類のベアラを使用可能な場合は、その複数種類のベアラごとに別々のファイルとして保存される。例えば、あるメーカの特定の機種の携帯電話機で使用可能なベアラがＧＰＲＳ用のベアラ及びＷ−ＣＤＭＡ用のベアラであった場合、各ベアラについて別々のＵＡＰｒｏｆ情報のファイルとして「profile_gprs.xml」及び「profile_wcdma.xml」が保存される。
【００１８】
上記インターネット３０上の各種コンテンツ提供サーバから携帯電話機１０にコンテンツをダウンロードするときには、ネットワークの各階層において所定の通信プロトコルが用いられる。例えば、ＷＥＢサーバ４０やダウンロードサーバ５０からＷＥＢページ、音楽、画像、プログラム等のコンテンツをダウンロードするときのアプリケーション層の通信プロトコルとしては、ＨＴＴＰ（HyperText Transfer Protocol）、Ｗ−ＨＴＴＰ（Wireless HyperText Transfer Protocol）、ＷＴＰ(Wireless Transaction Protocol)、ＷＳＰ（Wireless Session Protocol）等が用いられる。
【００１９】
図２は、上記ダウンロードサーバ５０のハードウェア構成の一例を示すブロック図である。なお、上記ＷＥＢサーバ４０やプロファイルリポジトリ（端末属性情報サーバ）６０，６１も同様に構成することができる。
ダウンロードサーバ５０は、システムバス５００、ＣＰＵ５０１、内部記憶装置、外部記憶装置５０４、入力装置５０５、出力装置５０６、及びインターネット用通信装置５０７を備えている。上記内部記憶装置は、ＲＡＭ５０２やＲＯＭ５０３等で構成されている。上記外部記憶装置は、ハードディスクドライブ（ＨＤＤ）や光ディスクドライブ等で構成されている。上記入力装置５０５は、マウスやキーボード等で構成されている。上記出力装置５０６は、ディスプレイやプリンタ等で構成されている。上記インターネット用通信装置５０７は、所定の通信プロトコルにより、インターネット３０上の各種クライアント端末や他のサーバと通信したり、携帯電話通信網２０上のプロキシサーバ２６と通信したりするための装置である。
上記ＣＰＵ５０１やＲＡＭ５０２等の構成要素はお互いに、システムバス５００を介して、データやプログラムの命令等のやり取りを行っている。このダウンロードサーバ５０を所定の手順に従って動作させるためのプログラムはＲＯＭ５０３や外部記憶装置５０４に記憶されており、必要に応じてＣＰＵ５０１やＲＡＭ５０２上の作業エリアに呼び出されて実行される。
【００２０】
また、上記ＷＥＢサーバ４０やダウンロードサーバ５０等のコンテンツ提供サーバ及びプロファイルリポジトリ（端末属性情報サーバ）６０，６１はそれぞれ、１台のコンピュータで構成してもいいし、複数の機能をそれぞれ受け持つ複数台のコンピュータをネットワークで結んで構成してもよい。
【００２１】
図３は、上記携帯電話通信網２０に設けられているプロキシサーバ２６のハードウェア構成の一例を示すブロック図である。このプロキシサーバ２６は、上記図２に示すダウンロードサーバ５０と同じようなハードウェアで構成することができる。このプロキシサーバ２６は、上記インターネット用通信装置５０７の代わりに、携帯電話通信網２０のＩＰネットワーク２３に接続するためのＩＰネットワーク用通信装置２６７を備えている。このＩＰネットワーク用通信装置２６７は、所定の通信プロトコルによりコアネットワーク２２側のＧＧＳＮ２５や、ＩＰネットワーク２３内の他のサーバと通信するための装置である。
【００２２】
図４は、本実施形態に係るダウンロードサーバ５０の主要な機能を抽出して示した機能ブロック図である。なお、ＷＥＢサーバ４０については、ダウンロードサーバ５０と同様な機能を有しているため、説明を省略する。
ダウンロードサーバ５０は、コンテンツ記憶手段５１０とコンテンツ取得要求受信手段５１１とベアラ情報取得手段５１２とコンテンツ送信手段５１３と制御手段５１４とを有している。上記ベアラ情報取得手段５１２は、更に取得先情報読み出し手段５１２ａと端末属性情報取得手段５１２ｂとベアラ情報読み出し手段５１２ｃとを用いて構成されている。ダウンロードサーバ５０は、ＣＰＵ等からなるハードウェア上で所定のプログラムを実行することにより、取得先情報読み出し手段５１２ａ、ベアラ情報読み出し手段５１２ｃ及び制御手段５１４の各機能を実現している。
【００２３】
上記コンテンツ記憶手段５１０は上記内部記憶装置や外部記憶装置で構成され、提供対象の音楽、画像、アプリケーションプログラム、ＷＥＢページデータ等のコンテンツをデータベース化して記憶している。このコンテンツ記憶手段５１０は、携帯電話機１０からのコンテンツ取得要求で指定可能なコンテンツタイトルやコンテンツＩＤごとに、上記複数種類のベアラそれぞれに好適なサイズやデータ形式等を有する複数のコンテンツを記憶している。例えば、一つのコンテンツタイトルに対して、ＧＰＲＳ用ベアラに好適なサイズが小さなコンテンツと、Ｗ−ＣＤＭＡ用ベアラに好適なサイズが大きなコンテンツとを記憶しておく。
【００２４】
上記コンテンツ取得要求受信手段５１１は上記インターネット用通信装置５０７等で構成され、所定の通信プロトコルを使って携帯電話機１０から送信されたコンテンツ取得要求を受信する。例えば、このコンテンツ取得要求受信手段５１１は携帯電話機１０から送信されてきたＨＴＴＰ要求を受信する。
【００２５】
上記ベアラ情報取得手段５１２の一部を構成する取得先情報読み出し手段５１２ａは上記ＣＰＵ５０１等で構成され、携帯電話機１０がコンテンツ取得要求を送信する際に用いたベアラに対応したＵＡＰｒｏｆ情報のファイルを取得するための取得先情報（プロファイルリポジトリのＵＲＩ）を、携帯電話機１０から受信したコンテンツ取得要求から読み出す。
上記端末属性情報取得手段５１２ｂは上記インターネット用通信装置５０７等で構成され、上記取得先情報読み出し手段５１２ａで読み出した所定の取得先情報（ＵＲＩ）に基づいて、プロファイルリポジトリから上記ＵＡＰｒｏｆ情報のファイルを取得する。例えば、この端末属性情報取得手段５１２ｂは、上記取得先情報（ＵＲＩ）のプロファイルリポジトリに対し、所定のＵＡＰｒｏｆ情報のファイルをダウンロードして取得するためのＨＴＴＰ要求を送信し、所定のＵＡＰｒｏｆ情報のファイルを含むＨＴＴＰ応答をプロファイルリポジトリから受信する。
上記ベアラ情報読み出し手段５１２ｃは上記ＣＰＵ５０１等で構成され、上記プロファイルリポジトリから受信したＵＡＰｒｏｆ情報のファイルに書き込まれているベアラの情報を読み出す。
【００２６】
上記コンテンツ送信手段５１３は上記インターネット用通信装置５０７等で構成され、インターネット３０及び携帯電話通信網２０を介して、コンテンツ記憶手段５１０から読み出したコンテンツを携帯電話機１０に送信する。
【００２７】
上記制御手段５１４は上記ＣＰＵ５０１等で構成され、携帯電話機１０から受信したコンテンツ取得要求に対し、そのコンテンツ取得要求の送信の際に用いられたベアラの情報に基づいて複数のコンテンツから、そのベアラに好適な送信対象のコンテンツを決定する。そして、制御手段５１４は、上記送信対象として決定したコンテンツを上記コンテンツ取得要求の送信の際に用いられたベアラによって携帯電話機１０へ送信するようにコンテンツ送信を制御する。
【００２８】
図５は携帯電話機１０の一構成例を示す外観図であり、図６は、その携帯電話機１０のハードウェア構成を示す概略構成図である。また、図７は、携帯電話機１０におけるソフトウェア構造の説明図である。
この携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５、携帯電話通信網用通信装置１０６を備えている。ＣＰＵ１０１やＲＡＭ１０２等の構成要素は、システムバス１００を介して、互いに各種データやプログラムの命令等のやり取りを行っている。
【００２９】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションソフト（以下「アプリケーション」という。）による各種機能を実現することができる。このアプリケーションによる機能としては、ＷＥＢブラウザ、メーラー、音楽再生、動画表示、外部装置とのデータ送受信、アドレス帳管理、スケジューラ、メモ帳等がある。
【００３０】
また、上記ＣＰＵ１０１は、上記記憶装置から所定のプログラムを読み込んで実行することにより、上記ネイティブ側の電話機プラットフォームとは異なるアプリケーション実行環境を構築することができる。そして、このアプリケーション実行環境上で、携帯電話機にプリインストールされているアプリケーションや利用者がダウンロードして登録したアプリケーション等の各種アプリケーションを実行することができる。このアプリケーションとしては、プラットフォームに依存しないオブジェクト指向プログラミングによって開発されたＪＡＶＡ（登録商標）、Ｃ＋＋等のプログラム言語で記述されたアプリケーションや、Ｃ言語やアセンブリ言語で記述されたアプリケーションなどが挙げられる。また、これらのアプリケーション実行環境は、例えばＪＡＶＡ（登録商標）の仮想マシン（ＶＭ：Virtual Machine）やＢＲＥＷ（登録商標）等のミドルウェアによって構築される。
【００３１】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、携帯電話機１０に対してコンテンツ取得先のＵＲＬ等のデータを入力したり、電話着信の際に通話の開始及び終了を行ったり、アプリケーションプログラムの選択、起動及び停止を行ったりすることができる。また、利用者は上記操作部を操作することにより、上記ダウンロードサーバ５０から画像ファイル、音楽ファイル、アプリケーションプログラム等のコンテンツをダウンロードして登録することができる。また、利用者は上記操作部を操作することにより、登録した画像ファイルを展開して表示したり、音楽ファイルを展開して再生したり、アプリケーションプログラムを選択して実行したりすることができる。また、利用者は上記操作部を操作することにより、携帯電話通信網２０の図示しない情報配信サーバから受信した情報を表示することもできる。
【００３２】
上記出力装置１０５は、表示手段である液晶ディスプレイ（ＬＣＤ）１７、スピーカ１８、図示しない振動デバイス等から構成されている。上記液晶ディスプレイ（ＬＣＤ）１７やスピーカ１８等からなる出力装置等で構成されている出力部は、携帯電話通信網２０を介して受信したＷｅｂページを液晶ディスプレイ（ＬＣＤ）１７に表示したり、携帯電話通信網２０から情報を着信した旨を利用者に知らせたりするときに用いられる。具体的には、その情報を着信すると、出力部の液晶ディスプレイ（ＬＣＤ）１７に着信報知画像を表示したり、スピーカ１８から着信音を出力させたりする。また、この出力部は、上記ゲーム等のアプリケーションプログラムの実行中に、そのプログラム実行に関連した画像の表示や音の出力に用いたり、情報配信サーバから受信した情報を表示したりするときにも用いられる。
なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００３３】
上記出力装置１０５を構成する振動デバイスは、この振動デバイスは、マナーモード（サイレントモード）設定時などに音声電話を着信したりメールや各種配信情報を受信したりしたときに、携帯電話機１０の全体を振動させ、その着信等を利用者に知らせるように制御することができる。また、この振動デバイスは、上記ゲーム等のアプリケーションプログラムの実行中に、そのプログラム実行に関連した振動を携帯電話機１０の全体に発生させるように制御することができる。
【００３４】
上記携帯電話通信網用通信装置１０６は、変復調器、シンセサイザ、周波数変換器，高周波増幅器などにより構成され、携帯電話通信網２０を介して他の携帯電話機や上述したサーバ１１等と通信するときに用いられる。この携帯電話通信網用通信装置１０６は、携帯電話通信網２０を介して他の携帯電話機とメールのやり取りを行ったり、携帯電話通信網２０からゲートウェイサーバを介して、インターネット等の外部の通信ネットワークに接続し、インターネット上での電子メールのやり取り等を行ったりするための通信手段として用いられる。更に、この携帯電話通信網用通信装置１０６は、携帯電話通信網１０を介して、ダウンロードサーバ５０が提供するアプリケーションプログラムをダウンロードしたり、現在位置の位置情報を含む配信情報を受信したりする情報受信手段としても用いられる。
【００３５】
図８は、本実施形態に係る携帯電話機１０の主要な機能を抽出して示した機能ブロック図である。この携帯電話機１０は、取得先情報書き込み手段１１０とコンテンツ取得要求送信手段１１１とコンテンツ受信手段１１２とを有している。
上記取得先情報書き込み手段１１０は上記ＣＰＵ１０１等で構成され、所定のＵＡＰｒｏｆ情報（プロファイル）のファイルを取得するための取得先情報（ＵＲＩ）をコンテンツ取得要求に書き込む。このＵＡＰｒｏｆ情報（プロファイル）のファイルは、携帯電話通信網２０における複数種類のベアラのうちコンテンツ取得要求の送信の際に用いられたベアラに対応している。
上記コンテンツ取得要求送信手段１１１は上記携帯電話通信網用通信装置１０６等で構成され、上記取得先情報（ＵＲＩ）が書き込まれたコンテンツ取得要求をダウンロードサーバ５０に送信する。
上記コンテンツ受信手段１１２は上記携帯電話通信網用通信装置１０６等で構成され、上記コンテンツ取得要求に対し、そのコンテンツ取得要求の送信の際に用いられたベアラの情報に基づいてダウンロードサーバ５０から送信された画像、音楽、アプリケーションプログラムなどのコンテンツを受信する。
【００３６】
図９は、携帯電話機１０でブラウザ等のアプリケーションを起動し、ダウンロードサーバ５０からＷ−ＨＴＴＰを使ってコンテンツをダウンロードするときの手順の一例を示すシーケンス図である。この図９は、ダウンロードサーバ５０が上記ＵＡプロファイルに書き込まれているベアラ情報に基づいて送信対象のコンテンツを決定する場合について示している。
まず、利用者は、携帯電話機１０を操作してブラウザ等のアプリケーションを起動する（ステップＳ１）。
次に、利用者は、ＷＥＢサーバ４０にアクセスして取得したコンテンツ提供のＷＥＢページを表示し、コンテンツリストにある所望のコンテンツタイトルを選択するキー操作を行う。携帯電話機１０は、このキー操作を受付けると、送信対象のＨＴＴＰ要求（ＧＥＴ）の所定のヘッダー・フィールドに、ＨＴＴＰ要求の送信の際に用いるベアラ（Ｗ−ＣＤＭＡ）に対応したＵＡプロファイルのファイルを取得するための取得先情報（ＵＲＩ）を書き込む（ステップＳ２、Ｓ３）。
上記ＨＴＴＰ要求の送信の際に用いるベアラ（Ｗ−ＣＤＭＡ）に対応する取得先情報（ＵＲＩ）は、例えば次のように「x-wap-profile」ヘッダー・フィールドに書き込まれる。
x-wap-profile: http://www.aaa.bbb.com/uaprof/profile_wcdma.xml
なお、上記ＨＴＴＰ要求の送信の際に用いるベアラがＧＰＲＳである場合には、上記取得先情報（ＵＲＩ）は、例えば次のように「x-wap-profile」ヘッダー・フィールドに書き込まれる。
x-wap-profile: http://www.aaa.bbb.com/uaprof/profile_gprs.xml
【００３７】
次に、携帯電話機１０は、上記取得先情報を書き込んだＨＴＴＰ要求をダウンロードサーバ５０に送信する（ステップＳ４）。
ダウンロードサーバ５０は、上記ＨＴＴＰ要求を受信すると、そのＨＴＴＰ要求に書き込まれている取得先情報（ＵＲＩ）を読み出し、読み出した取得先情報（ＵＲＩ）に対応するプロファイルリポジトリ６０に、上記ＨＴＴＰ要求の送信の際に用いられたベアラ（Ｗ−ＣＤＭＡ）に対応したＵＡプロファイルのファイルを取得するためのＨＴＴＰ（ＧＥＴ）を送信する（ステップＳ５）。
【００３８】
次に、プロファイルリポジトリ６０は、ＵＡプロファイルのデータベースを検索し、ダウンロードサーバ５０が要求するＵＡプロファイルのファイルを抽出し、ダウンロードサーバ５０に送信する（ステップＳ６、Ｓ７）。
【００３９】
次に、ダウンロードサーバ５０は、上記プロファイルリポジトリ６０からＵＡプロファイルのファイルを受信し、そのＵＡプロファイルのファイルに書き込まれているベアラ情報「Ｗ−ＣＤＭＡ」を読み出す（ステップＳ８）。
次に、ダウンロードサーバ５０は、上記読み出したベアラ情報に基づいて、携帯電話機１０からのコンテンツ取得要求で指定されたコンテンツタイトルやコンテンツＩＤに対応した複数のコンテンツから、使用接続中のベアラに好適なコンテンツを送信対象のコンテンツとして決定する（ステップＳ９）。本例の場合、上記読み出したベアラ情報は通信伝送能力が高い「Ｗ−ＣＤＭＡ」であるので、そのＷ−ＣＤＭＡ用ベアラに好適なサイズが大きなコンテンツを、上記送信対象のコンテンツとして決定する。なお、ベアラ情報が「ＧＰＲＳ」の場合は、そのＧＰＲＳ用ベアラに好適なサイズが小さいコンテンツを、上記送信対象のコンテンツとして決定する。
【００４０】
なお、上記サイズが大きなコンテンツ及び上記サイズが小さなコンテンツとしては、次のようなコンテンツが挙げられる。
例えば、コンテンツ取得要求に対応するコンテンツが音楽や映像等である場合、サイズが大きなコンテンツは、高ビットレートを有する高画質・高音質のコンテンツであり、サイズが小さなコンテンツは、低ビットレートを有する低画質・低音質のコンテンツである。
また、コンテンツ取得要求に対応するコンテンツが映画等である場合、サイズが大きなコンテンツは完全版の映画等のコンテンツであり、サイズの小さなコンテンツはダイジェスト（抜粋）版の映画等のコンテンツである。
【００４１】
次に、ダウンロードサーバ５０は、上記ベアラ情報に基づいて決定したコンテンツをコンテンツデータベースから読み出し、読み出したコンテンツデータを含むＨＴＴＰ応答を携帯電話機１０に送信する（ステップＳ１０）。
携帯電話機１０は、上記ＨＴＴＰ応答を受信すると、そのＨＴＴＰ応答に含まれるコンテンツを出力したり保存したりすることができる（ステップＳ１１）。
【００４２】
以上、本実施形態によれば、ダウンロードサーバ５０が携帯電話機１０からコンテンツ取得要求としてのＨＴＴＰ要求を受信したときに、そのＨＴＴＰ要求から読み出した取得先情報（ＵＲＩ）に基づいてプロファイルリポジトリ６０にアクセスし、通信接続中のベアラ情報等が書き込まれたＵＡプロファイルのファイルを取得する。そして、ダウンロードサーバ５０は、上記ＨＴＴＰ要求に対し、そのＨＴＴＰ要求の送信の際に用いられたベアラの情報に基づいて複数のコンテンツから送信対象のコンテンツを決定し、その送信対象として決定したコンテンツを上記コンテンツ取得要求の送信の際に用いられたベアラによって携帯電話機１０に送信する。このように携帯電話機１０がコンテンツ取得要求の送信の際に用いたベアラの情報に基づいて決定したコンテンツを、そのベアラによって携帯電話機１０に送信するので、携帯電話機１０が使用するベアラの種類に応じてコンテンツを提供することができる。
【００４３】
なお、上記実施形態では、上記コンテンツ取得要求の送信の際に用いられたベアラの情報をＵＡＰｒｏｆ情報（プロファイル）のファイルから読み出しているが、携帯電話機１０から受信したＨＴＴＰ要求から読み出すようにしてもよい。
図１０は、携帯電話機１０から受信したＨＴＴＰ要求からベアラの情報を読み出す場合のダウンロードサーバ５０の主要な機能を抽出して示した機能ブロック図である。この場合のダウンロードサーバ５０は、上記ベアラ情報取得手段５１２としてベアラ情報読み出し手段５１２ｄを有する。このベアラ情報読み出し手段５１２ｄは上記ＣＰＵ５０１等で構成され、上記ＨＴＴＰ要求の送信の際に用いられたベアラの情報をコンテンツ取得要求としてのＨＴＴＰ要求から読み出す。
図１１は、携帯電話機１０から受信したＨＴＴＰ要求からベアラの情報を読み出す場合の携帯電話機１０の主要な機能を抽出して示した機能ブロック図である。この場合の携帯電話機１０は、図８における上記取得先情報書き込み手段１１０に代えてベアラ情報書き込み手段１１３を有する。このベアラ情報書き込み手段１１３は、コンテンツ取得要求の送信の際に用いるベアラの情報をコンテンツ取得要求としてのＨＴＴＰ要求に書き込む。
【００４４】
図１２は、上記ＨＴＴＰ要求に書き込まれているベアラ情報に基づいて送信対象のコンテンツを決定するダウンロードサーバ５０から、Ｗ−ＨＴＴＰを使ってコンテンツをダウンロードするときの手順の一例を示すシーケンス図である。
まず、利用者は、携帯電話機１０を操作してブラウザ等のアプリケーションを起動する（ステップＳ１）。
次に、利用者は、ＷＥＢサーバ４０にアクセスして取得したコンテンツ提供のＷＥＢページを表示し、コンテンツリストにある所望のコンテンツタイトルを選択するキー操作を行う。携帯電話機１０は、このキー操作を受付けると、送信対象のＨＴＴＰ要求（ＧＥＴ）の所定のヘッダー・フィールドに、そのＨＴＴＰ要求の送信の際に用いるベアラ（Ｗ−ＣＤＭＡ）の情報を書き込む（ステップＳ２、Ｓ３）。
上記ＨＴＴＰ要求の送信の際に用いるベアラ（Ｗ−ＣＤＭＡ）の情報は、例えば次のように「x-wap-profile」ヘッダー・フィールドに書き込まれる。
x-wap-profile: http://www.aaa.bbb.com/uaprof/profile_wcdma.xml
【００４５】
次に、携帯電話機１０は、上記ベアラ情報を書き込んだＨＴＴＰ要求をダウンロードサーバ５０に送信する（ステップＳ４）。
ダウンロードサーバ５０は、上記ＨＴＴＰ要求を受信すると、そのＨＴＴＰ要求に書き込まれているベアラ情報「Ｗ−ＣＤＭＡ」を読み出し、読み出したベアラ情報「Ｗ−ＣＤＭＡ」に基づいて、携帯電話機１０からのコンテンツ取得要求で指定されたコンテンツタイトルやコンテンツＩＤに対応した複数のコンテンツから、使用接続中のベアラに好適なコンテンツを送信対象のコンテンツとして決定する（ステップＳ５）。本例の場合、上記読み出したベアラ情報は通信伝送能力が高い「Ｗ−ＣＤＭＡ」であるので、そのＷ−ＣＤＭＡ用ベアラに好適なサイズが大きなコンテンツを、上記送信対象のコンテンツとして決定する。なお、ベアラ情報が「ＧＰＲＳ」の場合は、そのＧＰＲＳ用ベアラに好適なサイズが小さいコンテンツを、上記送信対象のコンテンツとして決定する。
【００４６】
次に、ダウンロードサーバ５０は、上記ベアラ情報に基づいて決定したコンテンツをコンテンツデータベースから読み出し、読み出したコンテンツデータを含むＨＴＴＰ応答を携帯電話機１０に送信する（ステップＳ７）。
携帯電話機１０は、上記ＨＴＴＰ応答を受信すると、そのＨＴＴＰ応答に含まれるコンテンツを出力したり保存したりすることができる（ステップＳ１１）。
【図面の簡単な説明】
【００４７】
【図１】本発明の実施形態に係る通信システム全体の概略構成の一例を示す説明図。
【図２】ダウンロードサーバのハードウェア構成の一例を示すブロック図。
【図３】プロキシサーバのハードウェア構成の一例を示すブロック図。
【図４】ダウンロードサーバの主要な機能を抽出して示した機能ブロック図。
【図５】携帯電話機の一構成例を示す外観図。
【図６】携帯電話機のハードウェア構成を示す概略構成図。
【図７】携帯電話機におけるソフトウェア構造の説明図。
【図８】携帯電話機の主要な機能を抽出して示した機能ブロック図。
【図９】携帯電話機でブラウザのアプリケーションを起動し、Ｗ−ＨＴＴＰを使ってコンテンツをダウンロードするときの手順の一例を示すシーケンス図。
【図１０】他の実施形態に係るダウンロードサーバの主要な機能を抽出して示した機能ブロック図。
【図１１】他の実施形態に係る携帯電話機の主要な機能を抽出して示した機能ブロック図。
【図１２】他の実施形態に係る携帯電話機でブラウザのアプリケーションを起動し、Ｗ−ＨＴＴＰを使ってコンテンツをダウンロードするときの手順の一例を示すシーケンス図。
【符号の説明】
【００４８】
１０    携帯電話機
２０    携帯電話通信網
２６    プロキシサーバ
３０    インターネット
４０    ＷＥＢサーバ
５０    ダウンロードサーバ
６０、６１    プロファイルリポジトリ
【図１】
2006155506.tif 000003
【図２】
2006155506.tif 000004
【図３】
2006155506.tif 000005
【図４】
2006155506.tif 000006
【図５】
2006155506.tif 000007
【図６】
2006155506.tif 000008
【図７】
2006155506.tif 000009
【図８】
2006155506.tif 000010
【図９】
2006155506.tif 000011
【図１０】
2006155506.tif 000012
【図１１】
2006155506.tif 000013
【図１２】
2006155506.tif 000014